(57)【要約】【課題】内燃機関の排気浄化装置において、吸蔵還元型ＮＯx触媒に吸蔵されているＮＯxを還元することができる状態に移行したときに、該吸蔵還元型ＮＯx触媒に吸蔵されているＮＯxを速やかに還元させることができる技術を提供する。【解決手段】排気中へ還元剤を添加する還元剤添加手段と、吸蔵還元型ＮＯx触媒と、を備え、吸蔵還元型ＮＯx触媒に吸蔵されているＮＯxの還元要求があるにもかかわらずＮＯxの還元ができない状態から、ＮＯxの還元ができる状態に移行したときに、吸蔵還元型ＮＯx触媒へ集中的に還元剤を添加する集中還元を行う場合に、吸蔵還元型ＮＯx触媒に吸蔵されているＮＯx量と、吸蔵還元型ＮＯx触媒の温度と、に基づいて、集中還元時に還元剤を添加するときの集中の程度を変更する。【選択図】図４
2007327465.tif 000002
【特許請求の範囲】
【請求項１】
内燃機関から排出される排気中へ還元剤を添加する還元剤添加手段と、
ＮＯxを吸蔵し且つ吸蔵していたＮＯxが前記還元剤添加手段により添加される還元剤により還元される吸蔵還元型ＮＯx触媒と、
を備え、
前記吸蔵還元型ＮＯx触媒に吸蔵されているＮＯxの還元要求があるにもかかわらずＮＯxの還元ができない状態から、ＮＯxの還元ができる状態に移行したときに、前記吸蔵還元型ＮＯx触媒へ集中的に還元剤を添加する集中還元を行う場合に、
前記吸蔵還元型ＮＯx触媒に吸蔵されているＮＯx量と、前記吸蔵還元型ＮＯx触媒の温
度と、に基づいて、前記集中還元時に還元剤を添加するときの集中の程度を変更することを特徴とする内燃機関の排気浄化装置。
【請求項２】
前記吸蔵還元型ＮＯx触媒に還元剤を添加したときに、該吸蔵還元型ＮＯx触媒の温度が還元効率の高い温度領域から離れるほど、前記集中の程度を低くすることを特徴とする請求項１に記載の内燃機関の排気浄化装置。
【請求項３】
前記吸蔵還元型ＮＯx触媒に還元剤を添加したときに、該吸蔵還元型ＮＯx触媒に吸蔵されているＮＯx量が多くなるほど、前記集中の程度を高くすることを特徴とする請求項１
または２に記載の内燃機関の排気浄化装置。
【発明の詳細な説明】
【技術分野】
【０００１】
本発明は、内燃機関の排気浄化装置に関する。
【背景技術】
【０００２】
吸蔵還元型ＮＯx触媒に吸蔵されているＮＯxを還元するときには、該吸蔵還元型ＮＯx
触媒に流入する排気の空燃比を比較的短い周期でスパイク的（短時間）にリッチとする、所謂リッチスパイク制御が実行される。しかし、例えば吸蔵還元型ＮＯx触媒の温度が低
いときには、ＮＯxの還元要求があったとしても、還元剤が該吸蔵還元型ＮＯx触媒にて反応しないため、ＮＯxを還元することがほとんどできない。そして、その間にも内燃機関
からはＮＯxが排出されているため、吸蔵還元型ＮＯx触媒に多くのＮＯxが吸蔵されるこ
とになる。
【０００３】
ここで、吸蔵還元型ＮＯx触媒では、ＮＯxの吸蔵量が多くなるに従いＮＯxの浄化率が
低下する。そのため、ＮＯxを還元できない状態からＮＯxを還元できる状態に移行したときに、速やかにＮＯxを還元させれば、速やかにＮＯxの浄化率を向上させることができる。
【０００４】
そして、吸蔵還元型ＮＯx触媒に吸蔵されているＮＯxの還元要求があるがリッチスパイク制御をすることができない状態から、リッチスパイク制御をすることのできる状態に移行した後の所定時間は、還元剤の添加量を通常よりも増加させてＮＯxの還元を行う技術
が知られている。（例えば、特許文献１参照。）。
【特許文献１】特開２００４−３６０４８６号公報
【特許文献２】特開２００５−１２７２８７号公報
【特許文献３】特開２００５−６１３４０号公報
【特許文献４】特開２００３−２６９１４２号公報
【特許文献５】特開２００３−２７９２５号公報
【発明の開示】
【発明が解決しようとする課題】
【０００５】
しかし、単に還元剤の添加量を増加させても、ＮＯxの還元効率が常に最高となるとは
限らない。例えば吸蔵還元型ＮＯx触媒の温度によりＮＯxの還元効率が変わるので、吸蔵還元型ＮＯx触媒の温度に応じて還元剤の添加量を変更することにより、そのときの温度
に応じてＮＯxの還元効率をより高くすることができる。
【０００６】
本発明は、上記したような問題点に鑑みてなされたものであり、内燃機関の排気浄化装置において、吸蔵還元型ＮＯx触媒に吸蔵されているＮＯxを還元することができる状態に移行したときに、該吸蔵還元型ＮＯx触媒に吸蔵されているＮＯxを速やかに還元させることができる技術を提供することを目的とする。
【課題を解決するための手段】
【０００７】
上記課題を達成するために本発明による内燃機関の排気浄化装置は、以下の手段を採用した。すなわち、本発明による内燃機関の排気浄化装置は、
内燃機関から排出される排気中へ還元剤を添加する還元剤添加手段と、
ＮＯxを吸蔵し且つ吸蔵していたＮＯxが前記還元剤添加手段により添加される還元剤により還元される吸蔵還元型ＮＯx触媒と、
を備え、
前記吸蔵還元型ＮＯx触媒に吸蔵されているＮＯxの還元要求があるにもかかわらずＮＯ
xの還元ができない状態から、ＮＯxの還元ができる状態に移行したときに、前記吸蔵還元型ＮＯx触媒へ集中的に還元剤を添加する集中還元を行う場合に、
前記吸蔵還元型ＮＯx触媒に吸蔵されているＮＯx量と、前記吸蔵還元型ＮＯx触媒の温
度と、に基づいて、前記集中還元時に還元剤を添加するときの集中の程度を変更することを特徴とする。
【０００８】
ここで、「集中の程度」とは、還元剤の添加を行う間隔または量等を変更することにより、通常よりも還元剤の供給量を多くする程度をいう。そして、集中の程度が高くなるほど、より集中して還元剤の添加が行われる。すなわち、集中の程度が高くなるほど、還元剤の添加間隔が短くなったり、または還元剤の添加量が多くなったりする。集中還元は、前記ＮＯxの還元ができる状態に移行してから、例えばＮＯxの還元要求が無くなるまで行なわれる。なお、集中還元後に行われる還元剤の添加を通常の添加（または通常添加）と称し、このときの添加量を通常の添加量と称する。
【０００９】
また、「前記吸蔵還元型ＮＯx触媒に吸蔵されているＮＯxの還元要求がある」とは、例えば吸蔵還元型ＮＯx触媒に吸蔵されているＮＯxの量が閾値を超えており、ＮＯxの浄化
率が低下するおそれのあることを示している。また、「ＮＯxの還元ができない状態」と
は、例えば吸蔵還元型ＮＯx触媒の温度が低いために還元剤を供給してもＮＯxをほとんど還元することができない状態である。これは、吸蔵還元型ＮＯx触媒が活性温度以下の状
態としてもよい。この場合、吸蔵還元型ＮＯx触媒の温度が上昇してＮＯxの還元を行うことができる温度となったときが、「ＮＯxの還元ができる状態に移行したとき」である。
他にも、内燃機関の運転状態によりＮＯxの還元できない状態になり得る。
【００１０】
そして、「ＮＯxの還元ができる状態に移行したとき」には、それ以前にＮＯxの還元が行われていなかったので、吸蔵還元型ＮＯx触媒には通常の添加時と比較して、より多く
のＮＯxが吸蔵されている。これに対し、「ＮＯxの還元ができる状態に移行したとき」に集中還元を行うことにより、ＮＯxの還元を速やかに行うことができるので、吸蔵還元型
ＮＯx触媒のＮＯx吸蔵能力を速やかに回復させることができる。
【００１１】
ここで、吸蔵還元型ＮＯx触媒に添加される還元剤の量に対して、実際にＮＯxの還元に関わる還元剤の量は、該吸蔵還元型ＮＯx触媒の温度に応じて変わる。すなわち、吸蔵還
元型ＮＯx触媒の温度に基づいて、還元剤の添加量または添加間隔を変更することにより
、ＮＯxの還元効率に応じた還元剤添加が可能となる。つまり、ＮＯxの還元効率に基づいて前記集中の程度を変更してもよい。
【００１２】
また、吸蔵還元型ＮＯx触媒に吸蔵されているＮＯx量が多くなるほど、より速やかにＮＯxの吸蔵量を減少させれば、ＮＯxの浄化率を向上し得る。すなわち、吸蔵還元型ＮＯx
触媒に吸蔵されているＮＯxの量に基づいて、還元剤の添加量または添加間隔を変更する
ことにより、ＮＯx吸蔵量に応じた還元剤添加が可能となる。つまり、ＮＯxの浄化率に基づいて前記集中の程度を変更してもよい。
【００１３】
本発明においては、前記吸蔵還元型ＮＯx触媒に還元剤を添加したときに、該吸蔵還元
型ＮＯx触媒の温度が還元効率の高い温度領域から離れるほど、前記集中の程度を低くす
ることができる。
【００１４】
ここで、集中の程度を低くするとは、還元剤の添加を行う間隔を長くしたり、または還元剤の添加量を少なくしたりすることをいう。
【００１５】
還元効率の高い温度領域とは、ＮＯxの還元が効率的に行われる温度領域であり、ＮＯxの還元が最も効率的に行われる温度を含んでいる。すなわち、還元効率の高い温度領域で
は、他の温度領域よりも還元剤の添加量を増加させたり還元剤の添加頻度を高めたりすることにより、より多くのＮＯxを還元させることができる。
【００１６】
一方、吸蔵還元型ＮＯx触媒の温度が、還元効率の高い温度領域から離れるにしたがっ
て、ＮＯx還元効率が低下する。そのため、還元剤を多く添加すると、該還元剤を無駄に
消費してしまう。これに対し、吸蔵還元型ＮＯx触媒の温度が低くなるほど、還元剤の添
加量を減少させたり還元剤の添加頻度を低めたりすることにより、還元効率に応じた還元剤添加が可能となる。
【００１７】
なお、「還元効率の高い温度領域から離れるほど、前記集中の程度を低くする」には、還元効率の高い温度領域から離れるほど、集中の程度を徐々に低くする、または段階的に低くすることを含む。
【００１８】
本発明においては、前記吸蔵還元型ＮＯx触媒に還元剤を添加したときに、該吸蔵還元
型ＮＯx触媒に吸蔵されているＮＯx量が多くなるほど、前記集中の程度を高くすることができる。
【００１９】
ここで、集中の程度を高くするとは、還元剤の添加を行う間隔を短くしたり、または還元剤の添加量を多くしたりすることをいう。
【００２０】
吸蔵還元型ＮＯx触媒に吸蔵されているＮＯx量が多いほど、ＮＯxの浄化率が低下する
ので、より速やかにＮＯxを還元させることが望ましい。そして、吸蔵されているＮＯx量が多いほど、より多くの還元剤を添加したり還元剤の添加頻度を高めたりすることにより、吸蔵還元型ＮＯx触媒に吸蔵されているＮＯxを速やかに還元させることができる。
【００２１】
なお、「吸蔵還元型ＮＯx触媒に吸蔵されているＮＯx量が多くなるほど、前記集中の程度を高くする」とは、吸蔵還元型ＮＯx触媒に吸蔵されているＮＯx量が多くなるほど、集中の程度を徐々に高くする、または段階的に高くすることを含む。
【発明の効果】
【００２２】
本発明に係る内燃機関の排気浄化装置によれば、吸蔵還元型ＮＯx触媒に吸蔵されてい
るＮＯxを還元することができる状態に移行したときに、該吸蔵還元型ＮＯx触媒に吸蔵されているＮＯxを速やかに還元させることができる。
【発明を実施するための最良の形態】
【００２３】
以下、本発明に係る内燃機関の排気浄化装置の具体的な実施態様について図面に基づいて説明する。
【実施例１】
【００２４】
図１は、本実施例に係る内燃機関の排気浄化装置を適用する内燃機関１とその吸・排気系の概略構成を示す図である。図１に示す内燃機関１は、水冷式の４サイクル・ディーゼルエンジンである。
【００２５】
内燃機関１には、該内燃機関の気筒内に燃料を供給する燃料噴射弁１１が備えられている。また、内燃機関１には、燃焼室へ通じる排気通路２が接続されている。この排気通路２は、下流にて大気へと通じている。
【００２６】
前記排気通路２の途中には、吸蔵還元型ＮＯx触媒３（以下、ＮＯx触媒３という。）が設けられている。ＮＯx触媒３は、流入する排気の酸素濃度が高いときは排気中のＮＯxを吸蔵し、流入する排気の酸素濃度が低く且つ還元剤が存在するときは吸蔵していたＮＯx
を還元する機能を有する。
【００２７】
また、ＮＯx触媒３よりも下流の排気通路２には、該排気通路２内を流れる排気の空燃
比に応じた信号を出力する空燃比センサ４が取り付けられている。また、ＮＯx触媒３よ
りも上流の排気通路２には、該排気通路２内を流れる排気の温度に応じた信号を出力する排気温度センサ５が取り付けられている。この排気温度センサ５によりＮＯx触媒３の温
度が検出される。
【００２８】
ＮＯx触媒３よりも上流の排気通路２には、該排気通路２を流通する排気中に還元剤た
る燃料（軽油）を添加する還元剤添加弁６を備えている。還元剤添加弁６は、後述するＥＣＵ７からの信号により開弁して排気中へ燃料を噴射する。還元剤添加弁６から排気通路２内へ噴射された燃料は、排気通路２の上流から流れてきた排気の空燃比をリッチにする。そして、ＮＯx還元時には、ＮＯx触媒３に流入する排気の空燃比を比較的に短い周期でスパイク的（短時間）にリッチとする、所謂リッチスパイク制御を実行する。なお、本実施例においては、還元剤添加弁６が、本発明における還元剤添加手段に相当する。
【００２９】
さらに、内燃機関１には、燃焼室へ通じる吸気通路８が接続されている。この吸気通路８の途中には、該吸気通路８を流れる空気の量に応じた信号を出力するエアフローメータ９が設けられている。
【００３０】
以上述べたように構成された内燃機関１には、該内燃機関１を制御するための電子制御ユニットであるＥＣＵ７が併設されている。このＥＣＵ７は、内燃機関１の運転条件や運転者の要求に応じて内燃機関１の運転状態を制御するユニットである。
【００３１】
ＥＣＵ７には、空燃比センサ４、排気温度センサ５、およびエアフローメータ９が電気配線を介して接続され、これらの出力信号がＥＣＵ７へ入力されるようになっている。一方、ＥＣＵ７には、燃料噴射弁１１および還元剤添加弁６が電気配線を介して接続され、該ＥＣＵ７により燃料噴射弁１１および還元剤添加弁６が制御される。
【００３２】
そして、本実施例では、ＮＯx触媒３に吸蔵されているＮＯxのリッチスパイク制御を行うことができない状態から、リッチスパイク制御を行うことができる状態に移行したときに、還元剤の添加間隔を通常よりも短くしてＮＯxの還元を行う集中還元を実行する。
【００３３】
ここで、図２は、ＮＯx吸蔵量カウンタと還元剤の添加タイミングとの関係を示したタ
イムチャートである。図２（Ａ）は、通常の還元剤添加を行なっているときであり、図２（Ｂ）は、集中還元を行なっているときを夫々示している。
【００３４】
ＮＯx吸蔵量カウンタは、ＮＯxの還元処理を行なってからＮＯx触媒３に吸蔵されるＮ
Ｏxの量を示している。そして、ＮＯx吸蔵量カウンタが閾値（図２では、破線で示している）に達したときにＮＯx還元処理が実行される。つまり、前回のＮＯx還元処理後から吸蔵されるＮＯx量をカウントし、このカウンタが閾値となったときにＮＯxの還元が行われる。そして、図２中のＺで示した点においてＮＯx還元処理が実行される。しかし、ＮＯx還元処理を行なうことができない状態からできる状態に移行した直後のようにＮＯx触媒
３に吸蔵されているＮＯx量が多いと、ＮＯx還元処理を１回行なっても、ＮＯxを還元し
きれずにＮＯxが残留してしまう。
【００３５】
一方、集中還元を行なう場合（図２（Ｂ）の場合）には、通常のとき（図２（Ａ）のとき）よりも、ＮＯx吸蔵量カウンタの値が小さいときにＮＯxの還元処理を実行している。なお、図２（Ｂ）は添加間隔係数を０．７とした場合を示している。この添加間隔係数は、前記閾値に乗じることにより、ＮＯx還元処理の実行タイミングを変更するために用い
られる。すなわち、添加間隔係数が１よりも大きい場合には通常よりもＮＯx還元処理の
実行間隔が長く、添加間隔係数が１よりも小さい場合には通常よりもＮＯx還元処理の実
行間隔が短い。
【００３６】
つまり、図２（Ｂ）の場合には、添加間隔係数が０．７に設定されているので、図２（Ａ）の閾値に対して０．７倍した値（図２では、一点鎖線で示している）にＮＯx吸蔵量
カウンタが達したときにＮＯx還元処理が実行される。すなわち、集中還元時には通常よ
りも閾値に達するまでの時間が短くなるので、還元剤を添加する間隔が短くなる。これにより、ＮＯx還元処理が頻繁に実行されるので、ＮＯx触媒３に吸蔵されているＮＯx量が
多い場合でも、速やかにＮＯxの吸蔵量を低減させることができる。
【００３７】
なお、通常添加時と集中還元時とでは、還元剤を供給したときのＮＯx触媒３における
目標空燃比は同じである。また、還元剤の添加量も通常のときと同じである。すなわち、リッチスパイク１回当たりの還元剤添加量は、どちらの場合でも同じである。
【００３８】
また、図３は、ＮＯx浄化率と、ＮＯx触媒３の床温と、添加間隔係数と、の関係を示した図である。
【００３９】
ここでいうＮＯx浄化率とは、ＮＯx触媒３でのＮＯx吸蔵速度をＮＯx触媒３へのＮＯx
流入速度で除した値である。ＮＯx吸蔵速度は、ＮＯx触媒３での単位時間当たりのＮＯx
吸蔵量である。また、流入ＮＯx速度は、ＮＯx触媒３へ単位時間当たりに流入するＮＯx
の量である。
【００４０】
ＮＯx触媒３でのＮＯx吸蔵速度は、ＮＯx触媒３に吸蔵されているＮＯx量と相関するため、ＮＯx吸蔵速度と、ＮＯx触媒３に吸蔵されているＮＯx量と、の関係を予め実験等に
より求めてマップ化しておく。また、ＮＯx触媒３へのＮＯx流入速度は、機関回転数と機関負荷とに関係しているため、ＮＯx流入速度と、機関回転数及び機関負荷との関係を予
め実験等により求めてマップ化しておく。これらのマップに基づいてＮＯx浄化率を得る
ことができる。
【００４１】
還元剤は通常、ＮＯx触媒３に吸蔵されているＮＯx量が予め定められた閾値を超えたときに規定量添加される。これに対し、集中還元を行なう場合には、ＮＯx触媒３に吸蔵さ
れているＮＯx量が閾値となる前に、還元剤の添加を行なう。このときに、添加間隔係数
を用いて添加時期を決定する。この添加間隔係数は、前記閾値に乗じることにより、新たな閾値を算出するために用いられる。つまり、添加間隔係数を１よりも小さくすれば、ＮＯx触媒３に吸蔵されているＮＯxが閾値に達する前にリッチスパイク制御が行われることになる。また、添加間隔係数を１よりも大きくすれば、ＮＯx触媒３に吸蔵されているＮ
Ｏxが閾値を超えてからリッチスパイク制御が行われることになる。
【００４２】
そして、ＮＯx触媒３でのＮＯx吸蔵速度とＮＯx触媒３へのＮＯx流入速度との比が小さくなるほど、ＮＯxの浄化率が低下しているため、より多くの還元剤を供給する。これに
より、ＮＯxの浄化率を速やかに向上させることができる。そのために、前記ＮＯx浄化率が低くなるほど、還元剤の添加間隔がより短くなるように、添加間隔係数が小さくされる。すなわち、吸蔵還元型ＮＯx触媒に吸蔵されているＮＯx量が多くなるほど、集中還元時の集中の程度を高くしている。
【００４３】
ただし、ＮＯx触媒３の温度によっては、添加間隔係数を一定とすることも考えられる
。すなわち、ＮＯx触媒３が活性しているものの、該ＮＯx触媒３の温度が低すぎて還元剤が該ＮＯx触媒３に付着する（ＨＣ被毒する）おそれがある場合には、還元剤の添加量を
通常よりも減少させる。すなわち、添加間隔係数を１よりも大きくする。これは、図３で
は、ＮＯx触媒３の床温が２００℃の場合に該当し、このときには添加間隔係数を２とし
ている。これにより、ＮＯx触媒３のＨＣ被毒を抑制することができる。
【００４４】
一方、ＮＯxの還元効率が高いものの、ＮＯx触媒３の温度が高すぎて該ＮＯx触媒３の
熱劣化を進行させるおそれのある場合には、該ＮＯx触媒３の熱劣化を抑制するように添
加間隔係数を決定する。これは、図３では、ＮＯx触媒３の床温が５００℃の場合に相当
し、このときには添加間隔係数を０．７としている。
【００４５】
また、本実施例に係るＮＯx触媒３では、床温が３５０℃近傍のときに最も還元効率が
高くなる。すなわち、この温度付近で添加間隔係数を低くして還元剤の供給頻度を上げることにより、より多くのＮＯxを還元させることができる。
【００４６】
そして、ＮＯx触媒３の床温がこの３５０℃近傍から離れるほど、すなわち温度が高く
なるほど、または温度が低くなるほど、ＮＯxの還元効率が減少する。そのため、還元効
率が高い領域から離れるほど添加間隔係数を大きくして、還元剤の供給間隔を長くしている。すなわち、還元効率の高い温度領域から離れるに応じて集中還元時の集中の程度を低くしている。
【００４７】
なお、ＮＯx触媒３でのＮＯx吸蔵速度とＮＯx触媒３へのＮＯx流入速度との比が１の場合には、ＮＯxの浄化率が高くなっているので、集中還元の必要がない。したがって、こ
のような場合には添加間隔係数を１とする。すなわち、通常の間隔にて還元剤の添加を行なう。ただし、ＮＯx触媒３の温度が低い場合には前記したようにＨＣ被毒のおそれがあ
るため、添加間隔係数を２としている。
【００４８】
次に、本実施例における集中還元制御のフローについて説明する。図４は、本実施例における集中還元制御のフローを示したフローチャート図である。本ルーチンは、冷間始動後等でＮＯxの還元を行うことができなかった状態から、ＮＯxの還元を行うことができる状態に移行してからの所定時間実行される。
【００４９】
ステップＳ１０１では、ＮＯx吸蔵速度が算出される。このＮＯx吸蔵速度は、ＮＯx触
媒３に捕集されているＮＯxの量と相関するため、ＮＯx吸蔵速度と、ＮＯxの捕集量との
関係を予め実験等により求めてマップ化しておく。そして、このマップにＮＯxの捕集量
を代入してＮＯx吸蔵速度を得ることができる。なお、ＮＯx触媒３に捕集されているＮＯxの量は、例えば、ＮＯx触媒３の上流側と下流側との差圧を測定するセンサを取り付け、該差圧により求めることができる。
【００５０】
ステップＳ１０２では、流入ＮＯx速度が算出される。この流入ＮＯx速度は、機関回転数と機関負荷（例えば、燃料噴射量またはアクセル開度）とに応じて変化するため、流入ＮＯx速度と機関回転数及び機関負荷との関係を予め実験等により求めてマップ化してお
く。そして、このマップに機関回転数及び機関負荷を代入して流入ＮＯx速度を得ること
ができる。
【００５１】
ステップＳ１０３では、ＮＯx触媒３でのＮＯx浄化率が算出される。ＮＯx浄化率は、
ＮＯx吸蔵速度を流入ＮＯx速度で除することにより求められる。
【００５２】
ステップＳ１０４では、ＮＯx触媒３の床温が推定される。ＮＯx触媒３の床温は、排気温度センサ５から得ることができる。
【００５３】
ステップＳ１０５では、添加間隔係数が算出される。添加間隔係数は、図３に示したマップにＮＯx触媒３の推定床温およびＮＯx浄化率を代入して得ることができる。このマッ
プは、予め実験等により求めてＥＣＵ７に記憶させておく。
【００５４】
ステップＳ１０６では、ステップＳ１０５で算出された添加間隔係数にしたがって集中還元が行われる。
【００５５】
このようにして、ＮＯx触媒３の床温、およびＮＯx浄化率に応じて添加間隔係数を求めることができる。そして、この添加間隔係数に基づいて還元剤の添加を行うことにより、効率の良い還元剤の添加が可能となる。つまり、ＮＯx触媒３の床温が高いためにＮＯxの還元効率が高い場合には、ＮＯx還元処理の実行間隔をより短くすることにより、ＮＯxの吸蔵量を速やかに減少させることができる。これにより、ＮＯxの浄化率を速やかに向上
させることができる。
【００５６】
さらに、ＮＯx触媒３の床温が高いときには、添加間隔係数を大きくしてＮＯx触媒３の過熱を抑制することができる。さらに、ＮＯx触媒３の床温が低いときにも、添加間隔係
数を大きくしてＮＯx触媒３のＨＣ被毒を抑制できる。これらにより、燃費を向上させる
こともできる。
【００５７】
そして、ＮＯx触媒３におけるＮＯx吸蔵量が多いほど添加間隔係数を小さくするので、ＮＯxの吸蔵量を速やかに低減させることができる。
【図面の簡単な説明】
【００５８】
【図１】実施例に係る内燃機関の排気浄化装置を適用する内燃機関とその吸・排気系の概略構成を示す図である。
【図２】ＮＯx吸蔵量カウンタと還元剤の添加タイミングとの関係を示したタイムチャートである。
【図３】ＮＯx触媒でのＮＯx吸蔵速度とＮＯx触媒へのＮＯx流入速度との比と、ＮＯx触媒の床温と、添加間隔係数と、の関係を示した図である。
【図４】実施例における集中還元制御のフローを示したフローチャート図である。
【符号の説明】
【００５９】
１     内燃機関
２     排気通路
３     吸蔵還元型ＮＯx触媒
４     空燃比センサ
５     排気温度センサ
６     還元剤添加弁
７     ＥＣＵ
８     吸気通路
９     エアフローメータ
１１   燃料噴射弁
【図１】
2007327465.tif 000003
【図２】
2007327465.tif 000004
【図３】
2007327465.tif 000005
【図４】
2007327465.tif 000006